(57)【要約】供物台を一度限りの使い捨てとすることなく、何度でも使用して廃棄処分等による資源の無駄をなくし、また廃棄処分に要するコストと手間を省くことを目的とする。【課題】【解決手段】その前面に窓部５を有する筺体２の内部に、造花等の供物飾り６と供物の収納部９を設け、また供物の贈呈者名の芳名記載部を筺体２の上面に立設し、更に供物としてはビール缶等の模造品を使用した葬儀用供物台。【選択図】図１
2005103139.tif 000002
【特許請求の範囲】
【請求項１】
その前面に窓部を有する筺体の内部に、供物飾りと供物の収納部を設け、また供物の贈呈者名の芳名記載部を設けたことを特徴とする葬儀用供物台。
【請求項２】
供物の贈呈者名の芳名記載部を筺体の上面に立設させた請求項１記載の供物台。
【請求項３】
供物収納部に供物の模造品を収納した請求項１記載の供物台。
【請求項４】
その前面に窓部を有する筺体の内部に供物飾りを設け、また供物の載置部を上記筺体の上面に形成し、更に供物の贈呈者名の芳名記載部を設けたことを特徴とする葬儀用供物台。
【請求項５】
供物の贈呈者名の芳名記載部を載置部に載置される供物の前面に設けた請求項４記載の供物台。
【請求項６】
載置部に供物の模造品を載置した請求項４記載の供物台。
【請求項７】
筺体の底部に伸縮可能な脚部を設けた請求項１又は請求項４の供物台。
【発明の詳細な説明】
【技術分野】
【０００１】
本願発明は、葬儀に際して缶詰、瓶詰め等の詰め物、或いは果物、菓子等の供物を供える葬儀用供物台に関するものである。
【背景技術】
【０００２】
一般に、葬儀に際して贈呈される缶詰、瓶詰め、或いは果物、菓子等の供物はデパートなどで購入したそのままを祭壇やその傍らに供える場合もあるが、通常は葬儀業者が葬儀に相応しいパッケージを施した葬儀用供物台を利用することが多い。
【０００３】
従来葬儀用供物台としては、一般には前面部に窓を設けた多数の供物を配置して収納する飾りケースと、この飾りケースを載置するための台座と、芳名記載部を有し上記飾りケース又は台座に着脱自在に取り付けられた芳名板とを備えたものが知られている（特開2003-180509、特開2001-198009)。
【特許文献１】特開2001-198000、特開2003-180509
【発明の開示】
【発明が解決しようとする課題】
【０００４】
しかし、葬儀用供物台は、その用途からして一回のみの使用で使い捨てになるものが多く、そのため材質についても廃棄、リサイクルの困難な木材、プラスチックよりも段ボール、厚手の紙類等を使用する傾向にある。
【０００５】
また、その構造にしても、飾りケース、飾りケースの窓部の周囲を飾る花飾り、台座、芳名板等は簡単に分解できるようにしてある。
【０００６】
しかしながら、一度製作した供物台を一回のみの使用で使い捨てにするのは資源の無駄であり、また一度製作された供物台を廃棄処分するにはコストと手間を要する等の難点がある。
【０００７】
そこで、本願発明は従来のように一度限りの使い捨てでなく、何度でも使用可能な構造にして葬儀用供物台を提案することを目的とするものである。
【課題を解決するための手段】
【０００８】
本願発明は、上記実情に鑑み、第一発明としてはその前面に窓部を有する筺体の内部に、供物飾りと供物の収納部を設け、また供物の贈呈者名の芳名記載部を設けた葬儀用供物台を提案するものである。
【０００９】
また、第二発明としてはその前面に窓部を有する筺体の内部に供物飾りを設け、また供物の載置部を上記筺体の上面に形成し、更に供物の贈呈者名の芳名記載部を設けた葬儀用供物台を提案するものである。
【００１０】
即ち、本願発明ではその前面に窓部を有する筺体内に生花、造花等の供物飾りが設けられているため、芳名記載部の表示を変えるだけで何度でも使用可能であり、しかも生花、造花等の供物飾りは筺体内に挿入され、したがって紛失することもないので、必要な期間、顧客に貸し出すこともできる。
【００１１】
また、供物の贈呈者の芳名記載部は供物とともに参列者に見易い場所に設けられることが好ましいが、本願第一発明のように供物が筺体内に収納されるような場合には、供物とは別に、筺体の上面に贈呈者の芳名記載部を設けるようにしてもよい。
【００１２】
更に、供物台が葬儀参列者より見難い場合には、筺体の底部に伸縮可能な脚部を設けることにより、供物台の高さ調整を行うようにしても良い。
【００１３】
なお、供物は葬儀終了後関係者に現物が供されるが、供物台に載置される供物は葬儀参列者に展示するためのものであるから、模造品でもよく、現物が変質し易いもの、或いは容量が大きく、筺体内に収納したり、筺体の上面に載置できない場合等には模造品の方が好ましい場合もあり、このような場合には模造品を収納或いは載置させたまま供物台を貸し出すことも可能である。
【発明の効果】
【００１４】
以上要するに、この発明によれば供物台を一度限りの使い捨てとすることなく、何度でも使用できるので、廃棄処分等による資源の無駄をなくし、また廃棄処分に要するコストと手間を省くことができる。
【発明を実施するための最良の形態】
【００１５】
前面の窓部に透明板を嵌め込んだ金属製乃至プラスチック製筺体の内部上方に生花乃至造花等の供物飾りの収納部を形成し、その下方に供物の収納部を形成し、筺体の上面には供物の贈呈者名の芳名記載部を設けた葬儀用供物台。
【実施例１】
【００１６】
以下、この発明を図示の実施例に基づいて詳細に説明すると、１は本願第一発明の一実施例を示す葬儀用供物台、２は供物の収納部が設けられる金属製の筺体である。
【００１７】
筺体２はこの実施例では円弧状の前面部３を有し、前面部３には塩化ビニル樹脂で構成された透明板４を嵌め込んだ縦長の窓部５が設けられ、内部には窓部５から透視できる位置に上方に造花等の供物飾り６の収納部７、下方に供物８の収納部９が形成される。
【００１８】
一方、筺体２の背面には供物飾り６、供物８をそれぞれの収納部７、９に収納するため縦長に開口部10が形成され、また開口部10の上端部には供物飾り６を筺体２の収納部７に係止させるための係止紐11が設けられる。
【００１９】
なお、開口部10は背面板12でビス止め等で閉鎖して内部に供物飾り６、供物８を密閉し、更に筺体２の上面には供物の贈呈者名の芳名記載部13が立設される。
【００２０】
また、筺体２の底部には脚部14が設けられるが、脚部14は脚柱14aの端部に脚足14bが伸縮可能に螺着された構造にしてあり、参列者が供物台を見易いように脚部14の長さを調整できるようにしてある。
【００２１】
なお、この実施例では供物８としては収納袋15に詰められた単位数量のビール缶模造品が収納部９に収納される。
【００２２】
この発明は以上のように構成され、供物台１は何度でも使用できるため、例えば造花等の供物飾り６、ビール缶模造品８を筺体２内に収納したまま必要期間貸し出して使用できる。
【００２３】
図２は、本願第二発明の実施例を示すものであり、この実施例では筺体２の上面に所定間隔を置いて係止部材16,16を配置し、係止部材16,16間に供物の載置部17を形成するものである。
【００２４】
なお、この実施例では供物の贈呈者名の芳名記載部13は供物の収納袋14の前面に設けるようにしてある。
【００２５】
他の構成と作用効果は上記第一発明の実施例と同一であるので、同一符号を使用してその説明を省略する。
【産業上の利用可能性】
【００２６】
この発明によれば供物台を一度限りの使い捨てとすることなく、何度でも使用できるので、廃棄処分等による資源の無駄をなくし、また廃棄処分に要するコストと手間を省くことができる。
【図面の簡単な説明】
【００２７】
【図１】本願第一発明の一実施例を示す正面斜視図
【図２】同上の実施例における背面板を取り外した状態における背面斜視図
【図３】同上の実施例における背面板を取り付けた状態における背面斜視図
【図４】本願第二発明の一実施例を示す正面斜視図
【符号の説明】
【００２８】
１は葬儀用供物台
２は筺体
３の前面部
４は透明板
５は窓部
６は造花等の供物飾り
７は供物飾りの収納部
８は供物
９は供物の収納部
10は開口部
11は係止紐
12は背面板
13は芳名記載部
14は脚部
14aは脚柱
14bは脚足
15は供物の収納袋
16,16は係止部材
17は供物の載置部
【図１】
2005103139.tif 000003
【図２】
2005103139.tif 000004
【図３】
2005103139.tif 000005
【図４】
2005103139.tif 000006